(57)【要約】  【課題】構造が簡単で容易に製造でき、陳列、展示の際に洋服類を見栄え良く演出でき、実装させた時の装着感をリアルに思い起こさせることができ、かつ、耐衝撃性に優れかつ丈夫で長期間の使用に耐えるペットマネキンに対する洋服類の着替方法を提供すること。  【解決手段】剛性を有するペットマネキン１に、つぎのア）〜）のいずれかに示す部材の間を分離し、衣服や装飾品を装着した後、分離した部材の間を回動自在に組み付けするところに特徴を有する着替方法である。  ア）胴体部３と、後足部５および尾部７との間  イ）胴体部３と、後足部５および前足部２との間  ウ）胴体部３と頭部４との間  エ）頭部４と耳部６の間【選択図】  図１
2005287542.tif 000002
【特許請求の範囲】
【請求項１】
剛性を有するペットマネキンに、つぎのア）〜エ）のいずれかに示す部材の間を分離し、衣服や装飾品を装着した後、分離した部材の間を回動自在に組み付けすることを特徴とする装着方法。
ア）胴体部と、両後足部および尾部との間
イ）胴体部と、両後足部および前足部との間
ウ）胴体部と、両前足部および頭部との間
エ）頭部と耳部の間
【発明の詳細な説明】
【技術分野】
【０００１】
本発明は、ペットに実装した際の衣服や装飾品などの装着感をリアルに想到させることができかつ臨場感ある演出もできる、有尾四足動物マネキン（ペットマネキン）への着替方法に関する。
【背景技術】
【０００２】
有尾四足愛玩動物（ペット）に耐寒用や装飾用の衣服などを着せる傾向が顕著な近時、愛玩動物家にとっては、自分のペットに似合う被服などを選別する機会が増加している。
【０００３】
従来より、ペット用の衣服を試着させて陳列、展示するため、布帛などの柔らかい素材を縫い合わせ、その中に綿やポリウレタン樹脂などのを詰め込み作製したいわゆるの縫いぐるみを使用しいるのが一般的である。なお、衣服や装飾品などの陳列、展示を目的とする硬質な有尾四足愛玩動物（ペット）ペットマネキンは提案されておらずまた上市もされていない。
【発明の開示】
【発明が解決しようとする課題】
【０００４】
しかしながら、従来のかかる縫いぐるみは、各部分を自在に変形させ修復することができるため様々な衣服や装飾品などを装着できるという利点がある反面、縫いぐるみのポーズが一定であったり、装着時に無理矢理に変形し修復するという過程を繰り返すために原形に完全復帰させることができず全体が型崩れを起こすので衣服などの着こなしが悪く、次第に可愛らしさを失ったり、時には意匠的な違和感すら感じる傾向が強くなるという不具合がある。
【０００５】
また、衣服や装飾品などを陳列、展示するときにかかる縫いぐるみを使用すると、縫いぐるみ自体に色合いに変化がなく、表情に現実感が乏しく、また、汚れたり破れると再生させにくいことに加えて、自分のペットに、陳列、展示品を現に装着させた時の装着感をリアルに思い起こすことができないなどの問題もある。
【０００６】
本発明はかかる従来の問題点に着目してなされたものであり、構造が簡単で容易に製造でき、陳列、展示の際に洋服類を見栄え良く演出でき、実装させた時の装着感をリアルに思い起こさせることができ、かつ、耐衝撃性に優れかつ丈夫で長期間の使用に耐えるペットマネキンに対する洋服類の着替方法の提案するにある。
【課題を解決するための手段】
【０００７】
上記の目的を達成するために採用した手段は、請求項１の発明は、剛性を有するペットマネキンに、つぎのア）〜）のいずれかに示す部材の間を分離し、衣服や装飾品を装着した後、分離した部材の間を回動自在に組み付けするところに特徴を有する着替方法。
ア）胴体部と、両後足部および尾部との間
イ）胴体部と、両後足部および両前足部との間
ウ）胴体部と頭部との間
エ）頭部と耳部の間
【０００８】
まず、ペットマネキンが例えばＦＲＰなどの硬質プラスチックや陶磁器などで作製されているので、リアルな造形ができ、色々なカラーバリエーションを得るための彩色ができ、さらに、傷かできても容易に修理、再生できる。
【０００９】
特に、上記ア）の場合には、胴体部と後足部および尾部との間が分離されるのでオムツやパンツなどを腰部に簡単に装着でき、胴体部と尾部との間が分離されるので装着した服が前にずれ込まないように防止するリングを使用することができる。また、胴体部に尾部が回動自在に組み付けされるので尻尾の回転によりペットマネキンに表情を付けることができる。
【００１０】
上記イ）の場合には、胴体部と両後足部および両前足部との間が分離されるので衣服類を胴体部に簡単に着替させることができる。また、胴体部と両後足部および両前足部との間が回動自在に組み付けされるので、「おすわり」、「ふせ」、「お手」、「おかわり」、「チンチン」、「シー（おしっこ）」等のポーズを自在につくり出せる。
【００１１】
上記ウ）の場合には、胴体部と頭部との間が分離されるので、タートルネックや首周りの小さい衣服を簡単に装着できる。また、胴体部に頭部を回動自在に組み付けされるので頭部の回転によりペットマネキンに表情を付けることができる。
【００１２】
上記エ）の場合には、頭部と耳部の間が分離されるので、ゴーグル、サンバイザー、口輪等を簡単に着替方法できる。
【発明を実施するための最良の形態】
【００１３】
つぎに、有尾四足動物マネキン（ペットマネキン）が「犬」である場合を具体例にして、本発明を説明するがこれはその代表例にすぎず、例えば猫などに代表される有尾四足動物マネキンであってもよいこと無論である。
【００１４】
図１は、実施例の着替方法に係わるイヌマネキン１を概略的に示す分解斜視図であり、上記ア）（すなわち、胴体部３と後足部５および尾部７の間が分離される）場合に相当するものである。なお、参考までに、仮想線にて前足部２、頭部４および耳部６が示されている。
【００１５】
図２は胴体部３と後足部５の間に備えてある係合部材の要部分解斜視図である。なお、胴体部３と尾部７の間、胴体部３と前足部２の間、胴体部３と頭部４の間および頭部４と耳部６の間も実質同様に構成されているのでこれを援用し、繰り返し説明しない
【００１６】
実施例のイヌマネキン１は繊維強化プラスチック（ＦＲＰ）であり、胴体部３、後足部５及び尾部７は各部材毎に型成形されており、胴体部３と後足部５の間、胴体部３と尾部７の間は、分離自在でありかつ回動自在に組み付けできるように構成されている。なお、イヌマネキン１の素材を硬質プラスチックのみに限定するものではなく、例えば陶磁器のような焼結体で各部分を作製し、互いに回動自在に組み付けできる係合部材を後付けしても良い。
【００１７】
図２に示すように、胴体部３には、中央に嵌合穴１２を有する基板１１の外周端部が胴体部３に対してビス留めされており、後足部５には、前記嵌合穴１２に着脱自在かつ回動自在に挿嵌、係止できる嵌合突起１６を備えた基板１５の外周端部が、後足部５に対してビス留めされている。ただし、この嵌合、係止手段１０を限定するものではなく、公知の様々な嵌合、係止手段にて構成できるものとする。
【００１８】
図３はオムツ装着前の実施例のイヌマネキン１を示す分解斜視図であり、図４はオムツを装着させた後のイヌマネキン５に、「オスワリ」のポーズをとらせた状態を示す斜視図である。
【図面の簡単な説明】
【００１９】
【図１】図１は実施例の着替方法に係わるイヌマネキンを概略的に示す分解斜視図である。なお、前足部、頭部および耳部が仮想線にて例示されている。
【図２】図２は胴体部と後足部の間に備えてある係合部材の要部分解斜視図である
【図３】図３はオムツ装着前の実施例のイヌマネキンを示す分解斜視図である。
【図４】図４はオムツを装着させた後のイヌマネキンに、「オスワリ」のポーズをとらせた状態を示す斜視図である。
【符号の説明】
【００２０】
１  …  ペットマネキン
２  …  前足部
３  …  胴体部
４  …  頭部
５  …  後足部
６  …  耳部
７  …  尾部
１０  …  嵌合、係止手段
１１  …  基板
１２  …  嵌合穴
１５  …  基板
１６  …  嵌合突起
【図１】
2005287542.tif 000003
【図２】
2005287542.tif 000004
【図３】
2005287542.tif 000005
【図４】
2005287542.tif 000006